(57)【要約】【課題】光パス信号及び光パケット信号が混在した場合でも、安定した増幅率を確保できる光伝送装置等を提供する。【解決手段】光伝送装置は、ダミー光源と、偏波ビームカプラと、ＡＧＣ型増幅部とを有する。ダミー光源は、光パス信号及び光パケット信号が混在した光信号の内、光パケット信号と同一波長のダミー信号を出力する。偏波ビームカプラは、光信号に対してダミー信号が直交するように、光信号にダミー信号を合波して出力信号を出力する。ＡＧＣ型増幅部は、出力信号を入力し、光増幅器の入力パワーと出力パワーとの間のパワー差に応じた一定の増幅率で出力信号を増幅する。【選択図】図１
2016025393.tif 000002
【特許請求の範囲】
【請求項１】
光パス信号及び光パケット信号が混在した光信号の内、前記光パケット信号と同一波長のダミー信号を出力する出力部と、
前記光信号に対して前記ダミー信号が直交するように、前記光信号に前記ダミー信号を合波して出力信号を出力する合波部と、
前記出力信号を入力し、入力段と出力段との間のパワー差に応じた所定増幅率で前記出力信号を増幅する増幅部と
を有することを特徴とする光伝送装置。
【請求項２】
前記増幅部で増幅した前記出力信号から前記ダミー信号を分離する分離部を
有することを特徴とする請求項１に記載の光伝送装置。
【請求項３】
前記光信号の光パワーを検出する検出部と、
前記光パワーの検出結果に基づき前記光信号に対する前記光パケット信号の密度を監視する監視部と、
前記光パケットの密度に応じて、前記出力部を制御する制御部と
を有することを特徴とする請求項１又は２に記載の光伝送装置。
【請求項４】
前記光信号の光パワーを検出する検出部と、
前記光パケットの検出結果に基づき前記光信号に対する前記光パケット信号の密度を監視する監視部と、
前記光パケットの密度が所定閾値を超えた場合に、前記ダミー信号の出力を停止するように前記出力部を制御すると共に、前記光パケットの密度が前記所定閾値を超えなかった場合に、前記ダミー信号を出力するように前記出力部を制御する制御部と
を有することを特徴とする請求項１又は２に記載の光伝送装置。
【請求項５】
前記合波部は、
前記光信号の偏向角を固定する第１の偏波部と、
前記光信号に対して、前記ダミー信号の偏向角を９０度回転させる第２の偏波部と
を有し、
前記第１の偏波部で固定された前記光信号と、前記第２の偏波部にて回転した前記ダミー信号とを合波して前記出力信号を出力することを特徴とする請求項１〜４の何れか一つに記載の光伝送装置。
【請求項６】
光伝送装置が、
光パス信号及び光パケット信号が混在した光信号の内、前記光パケット信号と同一波長のダミー信号を出力し、
前記光信号に対して前記ダミー信号が直交するように、前記光信号に前記ダミー信号を合波して出力信号を増幅部に出力し、
前記増幅部の前記出力信号の入力段と出力段との間のパワー差に応じた所定増幅率で前記出力信号を増幅する
処理を実行することを特徴とする光伝送方法。
【発明の詳細な説明】
【技術分野】
【０００１】
本発明は、光伝送装置及び光伝送方法に関する。
【背景技術】
【０００２】
近年、ＷＤＭ（Wavelength  Division  Multiplex:光波長多重）システムでは、例えば、ＯＴＮ（Optical  Transport  Network）網との間の光パス信号を光波長多重化した光信号を伝送している。しかしながら、近年、例えば、リングネットワークやメッシュネットワーク等のネットワーク構成の複雑化に伴って伝送路のフレキシブルな運用が求められている。
【０００３】
ＷＤＭシステムでは、ネットワーク上の伝送路の切断等に応じて伝送路が変更された場合、伝送路上の各光伝送装置内を通過する信号波長数も増減する。その結果、各光伝送装置内部の光アンプは、信号波長数の変動に応じて光信号の光パワーの変動に迅速に対応するＡＧＣ（Auto  Gain  Control）方式を採用している。光アンプは、アンプ入力段の光信号の入力パワーと、アンプ出力段の光信号の出力パワーとを比較し、その比較結果であるパワー差に応じて所定増幅率となるように制御している。
【０００４】
また、今後、ＷＤＭシステムでは、光パス信号と、例えば、イーサネット（登録商標）網等のＬＡＮ（Local  Area  Network）との間の光パケット信号とを光波長多重化した光信号を伝送する技術が求められている。ＷＤＭシステムでは、光パケット信号が利用者の使用タイミング、すなわちランダムに発生し、光信号内で光パケット信号がバースト的に存在する。しかも、光パケット信号は、その信号長や信号間隔がランダムである。従って、ＷＤＭシステム内の光伝送装置では、光信号内の光パケット信号の有無に応じて光アンプの入力パワーが大きく変動する。
【先行技術文献】
【特許文献】
【０００５】
【特許文献１】特開２００７−２１５１４７号公報
【特許文献２】特開２００８−１６６７１９号公報
【発明の概要】
【発明が解決しようとする課題】
【０００６】
そもそも、光伝送装置内のＡＧＣ方式の光アンプでは、入力パワーが一定時間安定して入力されることが前提である。しかしながら、ＡＧＣ方式の光アンプでは、光信号内の光パケット信号の有無に応じて入力パワーが変動し、そのパワー差が大きく変動するため、安定した増幅率を確保することが難しくなる。光アンプでは、同一監視タイミングで、アンプ入力段で光信号内に光パケット信号が存在し、アンプ出力段で光信号内に光パケット信号がなしとの監視結果を得た場合、そのパワー差が大きく変動するため、安定した増幅率を確保することが難しくなる。
【０００７】
一つの側面では、光パス信号及び光パケット信号が混在した場合でも、安定した増幅率を確保できる光伝送装置及び光伝送方法を提供することを目的とする。
【課題を解決するための手段】
【０００８】
一つの態様では、出力部と、合波部と、増幅部とを有する。出力部は、光パス信号及び光パケット信号が混在した光信号の内、光パケット信号と同一波長のダミー信号を出力する。合波部は、光信号に対してダミー信号が直交するように、光信号にダミー信号を合波して出力信号を出力する。増幅部は、出力信号を入力し、当該増幅部の入出力のパワー差に応じた所定増幅率で出力信号を増幅する。
【発明の効果】
【０００９】
一つの態様では、光パス信号及び光パケット信号が混在した場合でも、安定した増幅率を確保できる。
【図面の簡単な説明】
【００１０】
【図１】図１は、ＷＤＭシステムの一例を示す説明図である。
【図２】図２は、光伝送装置の一例を示す説明図である。
【図３】図３は、光アンプの一例を示す説明図である。
【図４】図４は、光アンプの増幅率変動量と光パケット信号のパケット密度との関係を示す説明図である。
【図５】図５は、ダミー信号出力制御処理に関わる光アンプ内部の処理動作の一例を示すフローチャートである。
【発明を実施するための形態】
【００１１】
以下、図面に基づいて、本願の開示する光伝送装置及び光伝送方法の実施例を詳細に説明する。尚、本実施例により、開示技術が限定されるものではない。
【実施例】
【００１２】
図１は、ＷＤＭシステムの一例を示す説明図である。図１に示すＷＤＭシステム１は、複数の光伝送装置２をＷＤＭ回線（以下、単に光回線と称する）３で相互に接続して光波長多重化した光信号を光回線３経由で伝送する構成である。各光伝送装置２（２Ａ〜２Ｅ）は、ＬＡＮ４（４Ａ〜４Ｅ）と、ＯＴＮ（Optical  Transport  Network）５（５Ａ〜５Ｅ）とに夫々接続する。光伝送装置２は、例えば、ＬＡＮ４との間で光パケット信号を伝送すると共に、例えば、ＯＴＮ５との間で光パス信号を伝送する。尚、光パス信号は、時間的に連続しているものの、光パケット信号は、バースト的に発生するものである。更に、光伝送装置２は、光パケット信号及び光パス信号を光波長多重化した光信号を光回線３経由で伝送する。尚、光信号は、光パス信号を含むものの、利用者の使用タイミングに応じて光パケット信号を含まない場合もある。
【００１３】
光伝送装置２Ａは、例えば、ＬＡＮ４Ａ及びＯＴＮ５Ａと接続している。光伝送装置２Ｂは、例えば、ＬＡＮ４Ｂ及びＯＴＮ５Ｂと接続している。光伝送装置２Ｃは、例えば、ＬＡＮ４Ｃ及びＯＴＮ５Ｃと接続している。光伝送装置２Ｄは、例えば、ＬＡＮ４Ｄ及びＯＴＮ５Ｄと接続している。光伝送装置２Ｅは、例えば、ＬＡＮ４Ｅ及びＯＴＮ５Ｅと接続している。
【００１４】
図１に示す光伝送装置２Ｂは、ＬＡＮ４ＢからＬＡＮ４Ｅ宛の波長λ１〜λｎの光パケット信号を入力すると共に、ＯＴＮ５ＢからＯＴＮ５Ｄ宛の波長λｎ＋１の光パス信号を入力する。光伝送装置２Ｂは、これら入力された光パケット信号及び光パス信号を光波長多重化した光信号を光回線３経由で光伝送装置２Ｃに伝送する。更に、光伝送装置２Ｃは、ＯＴＮ５ＣからＯＴＮ５Ｅ宛の波長λｎ＋２の光パス信号を入力すると共に、光伝送装置２Ｂからの光信号を入力し、光パス信号を光信号に光波長多重化した光信号を光回線３経由で光伝送装置２Ｄに伝送する。
【００１５】
更に、光伝送装置２Ｄは、光伝送装置２Ｃからの光信号を入力し、光信号からＯＴＮ５Ｄ宛の光パス信号を分離し、分離した光パス信号をＯＴＮ５Ｄに伝送する。更に、光伝送装置２Ｄは、光パス信号を分離した光信号を光回線３経由で光伝送装置２Ｅに伝送する。光伝送装置２Ｅは、光伝送装置２Ｄから光信号を入力し、光信号からＯＴＮ５Ｅ宛の光パス信号及びＬＡＮ４Ｅ宛の光パケット信号を分離し、ＯＴＮ５Ｅ宛の光パス信号をＯＴＮ５Ｅに伝送すると共に、ＬＡＮ４Ｅ宛の光パケット信号をＬＡＮ４Ｅに伝送する。
【００１６】
図２は、光伝送装置２の一例を示す説明図である。図２に示す光伝送装置２は、受信側の光アンプ１１Ａ（１１）と、送信側の光アンプ１１Ｂ（１１）と、分離・多重部１２と、光パケットスイッチ部１３と、光パケット送受信部１４と、光パス送受信部１５とを有する。受信側の光アンプ１１Ａは、光回線３からの光信号を増幅するＡＧＣ方式の増幅部である。分離・多重部１２は、受信側の光アンプ１１Ａで増幅した光信号から光パス信号や光パケット信号を光波長分離する分離部１２Ａと、受信側の光アンプ１１Ａで増幅した光信号に光パス信号や光パケット信号を光波長多重する多重部１２Ｂとを有する。
【００１７】
光パケット送受信部１４は、例えば、ＬＡＮ４と接続し、ＬＡＮ４との間で光パケット信号を送受信する通信部である。光パス送受信部１５は、例えば、ＯＴＮ５と接続し、ＯＴＮ５との間で光波長毎の光パス信号を送受信する通信部である。光パスケットスイッチ部１３は、分離・多重部１２と、光パケット送受信部１４との間を切替接続するものである。送信側の光アンプ１１Ｂは、多重部１２Ｂで多重された光信号を増幅して光回線３に出力するＡＧＣ方式の増幅部である。
【００１８】
図３は、光アンプ１１の一例を示す説明図である。図３に示す光アンプ１１は、ＡＧＣ型増幅部２１と、密度監視部２２と、ダミー光源２３と、第１の偏波コントローラ２４と、第２の偏波コントローラ２５と、偏波ビームカプラ２６とを有する。更に、光アンプ１１は、第３の偏波コントローラ２７と、偏波ビームスプリッタ２８と、ダミー終端部２９とを有する。
【００１９】
ＡＧＣ型増幅部２１は、光信号をＡＧＣ方式で増幅する。ＡＧＣ型増幅部２１は、光増幅器３１と、入力監視部３２と、出力監視部３３と、励起部３４と、差分比較部３５とを有する。光増幅器３１は、例えば、ＥＤＦ(Erbium Doped-Fiber)等の希土類添加ファイバやＳＯＡ（Semiconductor Optical Amplifier）等の半導体光アンプに相当し、光信号を増幅出力する。入力監視部３２は、光増幅器３１の入力段の光信号をフォトダイオード（以下、単にＰＤと称する）４１Ａ等で電気信号に変換して入力パワーを取得する。出力監視部３３は、光増幅器３１の出力段の光信号をＰＤ４１Ｂ等で電気信号に変換して出力パワーを取得する。
【００２０】
差分比較部３５は、入力監視部３２で取得した入力パワーと、出力監視部３３で取得した出力パワーとを比較し、その比較結果であるパワー差を算出する。励起部３４は、光増幅器３１がＥＤＦの場合、レーザ光源に相当し、パワー差に応じた励起信号としてレーザ光を光増幅器３１に入力する。また、励起部３４は、光増幅器３１がＳＯＡの場合、電流源又は電圧源に相当し、パワー差に応じた励起信号として電気信号を光増幅器３１に入力する。
【００２１】
密度監視部２２は、検出部２２Ａと、監視部２２Ｂと、制御部２２Ｃとを有する。検出部２２Ａは、ＰＤ４１Ｃ等で光信号を電気信号に変換して光信号の光パワーを測定する。監視部２２Ｂは、光パワーの測定結果に基づき、モニタ時間単位当たりの光パワーに基づき、光信号に対する光パケット信号のパケット密度を算出する。尚、パケット密度は、光信号に対して光パケット信号が占める単位時間当たりの密度に相当する。制御部２２Ｃは、光パケット信号のパケット密度を監視し、監視結果に応じてダミー光源２３を制御する。
【００２２】
ダミー光源２３は、光パケット信号と同一波長のダミー信号を発光する。第１の偏波コントローラ２４は、光信号の偏向角を固定する偏波部である。第２の偏波コントローラ２５は、光信号内の光パケット信号に対して偏向角が９０度回転するようにダミー信号を調整する偏波部である。
【００２３】
偏波ビームカプラ２６は、光増幅器３１の入力段にあるＰＤ４１Ａの前段に配置され、第１の偏波コントローラ２４で固定された光信号と、第２の偏波コントローラ２５で調整されたダミー信号とを合波する。更に、偏波ビームカプラ２６は、光信号とダミー信号とを合波して、光信号に対してダミー信号を直交した光信号を光増幅器３１に出力する。尚、偏波ビームカプラ２６は、偏向角を保持可能にする合波部である。
【００２４】
偏波ビームスプリッタ２８は、光増幅器３１の出力段にあるＰＤ４１Ｂの後段に配置され、光増幅器３１で増幅された光信号からダミー信号を分岐する。第３の偏波コントローラ２７は、偏波ビームスプリッタ２８で光信号からダミー信号が分岐できるように、光信号を調整する偏波部である。
【００２５】
偏波ビームスプリッタ２８は、光信号からダミー信号と光信号とを分岐し、分岐したダミー信号をダミー終端器２９に出力すると共に、分岐した光信号を出力する。また、偏波ビームカプラ２６と偏波ビームスプリッタ２８との間に、偏波が回転しないようにパンダファイバ等の偏向角固定ファイバを使用するものとする。
【００２６】
光増幅器３１の入力段で光信号にダミー信号を挿入し、光増幅器３１の出力段で光信号からダミー信号を分離するため、光増幅器３１の前後に挿入分岐箇所を限定する。その結果、ＷＤＭシステム１全体でのダミー信号挿入による光パケット信号の使用効率の低下を防止できる。
【００２７】
密度監視部２２は、光パケット信号のパケット密度に応じてダミー光源２３を制御する。図４は、光増幅器３１の増幅率変動量と光パケット信号のパケット密度との関係の一例を示す説明図である。光増幅器３１の増幅率変動量は、光パケット信号のパケット密度が０％から６０％になるまでは大きく、パケット密度が６０％を超えると小さくなるという特性がある。また、パケット密度が２０％から６０％に移行するまでの増幅率変動量α１は、約１．２ｄＢである。更に、パケット密度が６０％から１００％になるまでの増幅率変動量α２は、増幅率変動量α１に比較して小さい。
【００２８】
密度監視部２２内の監視部２２Ｂは、光パケット信号のパケット密度が所定閾値、例えば、６０％を超えたか否かを判定する。密度監視部２２内の制御部２２Ｃは、光パケット信号のパケット密度が６０％を超えていない場合に、ダミー信号を出力するようにダミー光源２３を制御する。制御部２２Ｃは、光パケット信号のパケット密度が６０％を超えた場合、ダミー信号の出力を停止するようにダミー光源２３を制御する。
【００２９】
また、密度監視部２２は、所定閾値の他に、ターゲット密度が設定可能である。尚、ターゲット密度は、利用者の設定操作に応じて適宜変更可能である。監視部２２Ｂは、光パケット信号のパケット密度がターゲット密度を超えたか否かを判定する。制御部２２Ｃは、光パケット信号のパケット密度が６０％未満でも、パケット密度がターゲット密度を超えた場合にダミー信号の出力を停止すべく、ダミー光源２３を制御している。
【００３０】
次に、本実施例のＷＤＭシステム１の動作について説明する。図５は、ダミー信号出力制御処理に関わる光アンプ１１の処理動作の一例を示すフローチャートである。図５に示すダミー信号出力制御処理は、モニタ時間当たりのパケット密度に応じてダミー信号の出力を制御する処理である。尚、密度監視部２２は、例えば、モニタ時間及びターゲット密度を予め設定しておくものとする。
【００３１】
図５において密度監視部２２の検出部２２Ａは、光回線３からの光信号のレベル測定を開始し（ステップＳ１１）、モニタ時間タイマを開始する（ステップＳ１２）。尚、モニタ時間タイマは、モニタ時間を計時するタイマである。
【００３２】
検出部２２Ａは、モニタ時間タイマがタイムアップしたか否かを判定する（ステップＳ１３）。検出部２２Ａは、モニタ時間タイマがタイムアップした場合（ステップＳ１３肯定）、モニタ時間タイマをクリアする（ステップＳ１４）。更に、密度監視部２２の監視部２２Ｂは、モニタ時間当たりの光信号のレベルの測定結果に基づき、光パケット信号のパケット密度を算出する（ステップＳ１５）。
【００３３】
監視部２２Ｂは、パケット密度が所定閾値である６０％を超えたか否かを判定する（ステップＳ１６）。尚、所定閾値は、光増幅器３１の増幅率変動量が低下するパケット密度の閾値に相当し、例えば、６０％である。監視部２２Ｂは、パケット密度が所定閾値６０％を超えていない場合（ステップＳ１６否定）、パケット密度がターゲット密度を超えたか否かを判定する（ステップＳ１７）。尚、ターゲット密度は、利用者の設定操作に応じて設定可能である。
【００３４】
密度監視部２２の制御部２２Ｃは、パケット密度がターゲット密度を超えていない場合（ステップＳ１７否定）、ダミー信号を出力すべく、ダミー光源２３を制御し（ステップＳ１８）、モニタ時間タイマを開始すべく、ステップＳ１２に移行する。この際、光増幅器３１の入力段には、光信号に対してダミー信号が直交するように、光信号とダミー信号とを合波した出力信号が入力される。その結果、光アンプ１１は、光増幅器３１の入力パワーの変動を小さくして光増幅器３１の増幅率変動量が小さくなるため、安定した増幅率を確保できる。
【００３５】
監視部２２Ｂは、モニタ時間タイマがタイムアップしなかった場合（ステップＳ１３否定）、モニタ時間タイマがタイムアップしたか否かを監視すべく、ステップＳ１３に移行する。制御部２２Ｃは、パケット密度が所定閾値６０％を超えた場合（ステップＳ１６肯定）、ダミー信号の出力を停止すべく、ダミー光源２３を制御し（ステップＳ１９）、モニタ時間タイマを開始すべく、ステップＳ１２に移行する。この際、光増幅器３１の入力段には、ダミー信号を合波せずに光信号を入力する。その結果、光アンプ１１は、光パケットのパケット密度が６０％を超えているため、ダミー信号を合波しなくても、光増幅器３１の増幅率変動量が小さくなるため、安定した増幅率を確保できる。
【００３６】
制御部２２Ｃは、パケット密度がターゲット密度を超えた場合（ステップＳ１７肯定）、ダミー信号の出力を停止すべく、ステップＳ１９に移行する。
【００３７】
図５において密度監視部２２は、モニタ時間当たりのパケット密度に応じてダミー光源２３を制御する。密度監視部２２は、パケット密度が６０％を超えていない場合、ダミー信号を出力すべく、ダミー光源２３を制御する。光信号に対してダミー信号が直交するように、光信号とダミー信号とを合波した光信号を光増幅器３１に入力する。その結果、光アンプ１１は、光増幅器３１の入力パワーの変動を小さくして光増幅器３１の増幅率変動量が小さくなるため、安定した増幅率を確保できる。
【００３８】
密度監視部２２は、パケット密度が６０％を超えた場合、ダミー信号の出力を停止すべく、ダミー光源２３を制御する。その結果、光アンプ１１は、ダミー信号を合波しなくても、光増幅器３１の増幅率変動量が小さくなるため、安定した増幅率を確保できる。
【００３９】
密度監視部２２は、パケット密度が６０％未満の場合でも、パケット密度が利用者設定のターゲット密度を超えた場合、ダミー信号の出力を停止すべく、ダミー光源２３を制御する。その結果、光アンプ１１は、パケット密度が６０％未満の場合でも、利用者の設定に応じてダミー信号の出力を停止できる。
【００４０】
本実施例では、光アンプ１１の前段に偏波ビームカプラ２６を配置し、光信号内の光パケット信号に対して直交するように光信号にダミー信号を合波して光増幅器３１に入力する。光アンプ１１は、光パケット信号によるパワー変動を小さくすることで、光増幅器３１の増幅率変動量が小さくなるため、安定した増幅率を確保できる。そして、光パケット信号及び光パス信号の劣化を抑制し、高精度な光伝送を確保できる。しかも、光アンプ１１の増幅率の安定化に伴って発振現象及び共振現象の発生を防止できる。
【００４１】
更に、本実施例では、光アンプ１１の出力段の偏波ビームスプリッタ２８で光信号からダミー信号を完全に分離することで、ダミー信号挿入による光信号の劣化を抑制できる。
【００４２】
本実施例では、光増幅器３１の入力段で光信号にダミー信号を挿入し、光増幅器３１の出力段で光信号からダミー信号を分離するため、光増幅器３１の前後にダミー信号の挿入分離箇所を限定する。その結果、ＷＤＭシステム１全体でのダミー信号挿入による光パケット信号の使用効率の低下を防止できる。
【００４３】
本実施例では、光信号に対して、ダミー信号の偏向角が直交するように、光信号にダミー信号を合波して光信号を出力するため、光信号を光増幅器３１に入力し、光信号の入力パワーと出力パワーとの間のパワー差に応じた増幅率で光信号を増幅する。その結果、光アンプ１１は、光信号の入力パワーの変動を抑えることで、安定した増幅率を確保できる。
【００４４】
本実施例の密度監視部２２は、光信号の光パワーを検出し、光パワーの検出結果に基づき光信号に対する光パケット信号のパケット密度を監視し、パケット密度に応じてダミー光源２３を制御する。密度監視部２２は、パケット密度が６０％を超えた場合に、ダミー信号の出力を停止すると共に、パケット密度が６０％未満の場合に、ダミー信号を出力するため、ダミー信号の入出力を制御できる。その結果、光信号の入力パワーの変動を抑えることで安定した増幅率を確保できる。
【００４５】
本実施例では、第１の偏波コントローラ２４で光信号の偏向角を固定し、第２の偏波コントローラ２５で光信号に対して、ダミー信号の偏向角を９０度回転し、光信号にダミー信号を合波することで、光信号に対してダミー信号を直交する出力信号を取得できる。
【００４６】
尚、上記実施例では、密度監視部２２がパケット密度を監視し、パケット密度に応じてダミー光源２３を制御するようにしたが、光信号内の光パケット信号の有無に応じてダミー光源２３を制御するようにしても良い。
【００４７】
上記実施例では、パケット密度が６０％を超えた場合にダミー信号の出力を停止するようにしたが、パケット密度を監視することなく、パケット密度が６０％を超えている状態を前提とした場合に、光パケット信号がある場合に、ダミー信号を出力するようにしても良い。
【００４８】
上記実施例では、ＷＤＭシステム１の光信号内の光パケット信号がバースト的に存在するため、光アンプ１１の入力パワーが変動するＷＤＭシステム１の光伝送装置２を例示したが、光パケット信号に限定されるものではなく、他のシステムにも適用可能である。
【００４９】
上記実施例では、パケット密度の所定閾値を６０％としたが、この数値に限定されるものではなく、適宜変更可能である。
【００５０】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００５１】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【符号の説明】
【００５２】
２  光伝送装置
１１  光アンプ
２１  ＡＧＣ型増幅部
２２  密度監視部
２２Ａ  検出部
２２Ｂ  監視部
２２Ｃ  制御部
２３  ダミー光源
２４  第１の偏波コントローラ
２５  第２の偏波コントローラ
２６  偏波ビームカプラ
２７  第３の偏波コントローラ
２８  偏波ビームスプリッタ
３１  光増幅器
【図１】
2016025393.tif 000003
【図２】
2016025393.tif 000004
【図３】
2016025393.tif 000005
【図４】
2016025393.tif 000006
【図５】
2016025393.tif 000007